(57)【要約】【課題】検査困難な位置にある柱、筋交い、土台などの構造躯体の位置や健全度などの状態を非破壊にて検査する木造建築物検査方法を提供する。【解決手段】中性子水分計（５）を壁（４）の板面に沿って移動させて壁（４）の板面側にある水分量を測定することにより、壁（４）を挟んで中性子水分計（５）とは反対側に位置する構造躯体（３）の状態を検査する。【選択図】        図１
2004317373.tif 000002
【特許請求の範囲】
【請求項１】
木造建築物の構造躯体の状態を検査する木造建築物検査方法において、中性子水分計を壁、床あるいは天井の板面に沿って移動させて壁、床あるいは天井の板面側の水分量を測定することにより、壁、床あるいは天井の板を挟んで中性子水分計とは反対側に位置する構造躯体の状態を検査することを特徴とする木造建築物検査方法。
【請求項２】
構造躯体が土台、柱、筋交いおよび胴縁のうちのいずれかであることを特徴とする請求項１記載の木造建築物検査方法。
【請求項３】
木造建築物の構造躯体の位置を検査することを特徴とする請求項１または２記載の木造建築物検査方法。
【請求項４】
木造建築物の木材の健全度を検査することを特徴とする請求項１ないし３いずれかに記載の木造建築物検査方法。
【発明の詳細な説明】
【０００１】
【発明の属する技術分野】
この出願の発明は、木造建築物検査方法に関するものである。さらに詳しくは、この出願の発明は、閉鎖空間内などの直接検査困難な場所にある構造躯体の位置や健全度を人が閉鎖空間内に入ることなく非破壊で安全かつ正確に検査する木造建築物検査方法に関するものである。
【０００２】
【従来の技術】
従来より、木造建築物のリフォームやメンテナンスあるいは劣化診断などの際に、木材からなる土台、柱、筋交いあるいは胴縁などの構造躯体の位置や健全度（劣化度）の検査が行われており、その検査方法としてたとえば目視や打音あるいはＸ線や超音波による方法が知られている。
【０００３】
【発明が解決しようとする課題】
しかしながら、目視による検査方法では壁体内の部分や土台部分の検査を行う場合には室内側や室外側からの検査が困難であり、壁体内や床下などの閉鎖空間に人が入り込んで検査を行わなければならないが、そのような閉鎖空間内は狭いため検査の作業を行うのは非常に困難であり、また場合によっては人がその閉鎖空間内に入り込むことすらできない場合もあった。
【０００４】
さらに目視や打音などの人の五感のみを用いて行う検査方法は検査を行うのにある程度の経験を必要とし、また検査を行う人により検査結果にばらつきが出てしまうという問題を有していた。
【０００５】
一方、Ｘ線や超音波による検査方法は人が閉鎖空間に入り込む必要がなく、目視や打音などに比べて検査を行う人により検査結果にばらつきが出難い検査方法であるが、Ｘ線による検査方法は人体への悪影響が心配され、また超音波による検査方法は正確に検査し難いといった欠点を有していた。
【０００６】
したがってこれまで、閉鎖空間内などの直接検査困難な場所に位置する構造躯体の状態を、人が閉鎖空間内に入ることなく安全かつ正確に非破壊で検査することのできる検査方法が強く求められていた。
【０００７】
他方で中性子水分計は、中性子線源から放射される高速中性子が測定対象物の水素原子と衝突することにより減速されて散乱した熱中性子の数を計数管により計測し、熱中性子の数が測定対象物に含まれる水素の数と比例することから結果的に測定対象物の水分量を測定することができる計測機器であり、中性子が鉄や鉛などの金属まで透過可能なことから、これまでに金属製容器内の物質やあるいは土壌の水分量の測定などに用いられており、たとえば特許文献１においては中性子水分計を用いて地盤の水分量、および地盤を掘削しながら形成したソイルモルタルからなる単位柱壁の水分量を測定することで先行単位柱壁の位置を測定し柱列壁の施工が行われているが、中性子水分計は現在に至るまで上記のように金属製容器内の物質あるいは土壌やモルタルなどの水分量の測定などにのみに利用されており、その使用分野が限定されていた。
【０００８】
【特許文献１】
特開平４−２９３８１７
【０００９】
そこで、この出願の発明は、以上のとおりの事情に鑑みてなされたものであり、従来技術の問題点を解消し、閉鎖空間内などの直接検査困難な場所に位置する構造躯体の位置や健全度を人が閉鎖空間内に入ることなく非破壊で安全かつ正確に検査する木造建築物検査方法を提供することを課題としている。
【００１０】
【課題を解決するための手段】
この出願の発明は、上記の課題を解決するものとして、まず第１には、木造建築物の構造躯体の状態を検査する木造建築物検査方法において、中性子水分計を壁、床あるいは天井の板面に沿って移動させて壁、床あるいは天井の板面側の水分量を測定することにより、壁、床あるいは天井の板を挟んで中性子水分計とは反対側に位置する構造躯体の状態を検査することを特徴とする木造建築物検査方法を提供する。
【００１１】
第２には、第１の発明において、構造躯体が土台、柱、筋交いおよび胴縁のうちのいずれかであることを特徴とする木造建築物検査方法を提供する。
【００１２】
第３には、第１または２の発明において、木造建築物の構造躯体の位置を検査することを特徴とする木造建築物検査方法を提供する。
【００１３】
第４には、第１ないし３いずれかの発明において、木造建築物の構造躯体の健全度を検査することを特徴とする木造建築物検査方法を提供する。
【００１４】
【発明の実施の形態】
この出願の発明は上記のとおりの特徴をもつものであるが、以下にその実施の形態について説明する。
【００１５】
この出願の発明の木造建築物検査方法は、木造建築物の構造躯体の状態を検査する木造建築物検査方法であるが、とくに、中性子水分計を壁、床あるいは天井の板面（板外面）に沿って移動させて中性子水分計よりも壁、床あるいは天井側の水分量を測定することにより、壁、床あるいは天井の板を挟んで中性子水分計とは反対側に位置する構造躯体の状態を検査することを特徴としている。
【００１６】
このとき、構造躯体として土台、柱、筋交いあるいは胴縁が挙げられ、この出願の発明の木造建築物検査方法は、閉鎖空間内に位置するこれら土台、柱、筋交いあるいは胴縁などの構造躯体の状態を検査するのに好適に用いることができ、とくにこれらの構造躯体の位置あるいは健全度を非破壊で安全かつ正確に検査することができるのである。
【００１７】
すなわち、この出願の発明の木造建築物検査方法を用いることで、構築躯体が配置されている閉鎖空間の外側である室内側あるいは室外側において、中性子水分計を用い、その中性子水分計を壁、天井あるいは床の板面に沿って垂直方向や水平方向に移動させて閉鎖空間部分の水分量を測定することで、位置による水分量の違いにより閉鎖空間内の構造躯体の位置を検出することができ、さらに同じ構成からなる計測点を相対的に比較することによって木材からなる構造躯体の健全度を検査することができるのであり、閉鎖空間内に位置する直接検査困難な土台、柱、筋交いあるいは胴縁といった構造躯体の位置や健全度を、人が閉鎖空間内に入ることなく非破壊にて安全かつ正確に検査可能となるのである。
【００１８】
したがってこの出願の発明の木造建築物検査方法は、とくに木造建築物のリフォームやメンテナンスを行う際に閉鎖空間内に位置する構造躯体の位置や健全度を、人が閉鎖空間内に入ることなく安全かつ正確に非破壊で検査することができることからリフォームおよびメンテナンスをスムーズに行うことが可能となり、リフォーム事業においてとくに有効な検査方法といえるのである。
【００１９】
以下、添付した図面に沿って実施例を示し、この出願の発明の実施の形態についてさらに詳しく説明する。もちろん、この出願の発明は以下の例に限定されるものではなく、細部については様々な態様が可能であることは言うまでもない。
【００２０】
【実施例】
図１および２にこの出願の発明の木造建築物検査方法の一実施形態を示す。同図に示すように、木製の柱（１ａ）、（１ｂ）、（１ｃ）と木製の土台（２）からなる模擬構造躯体（３）を用い、模擬構造躯体（３）を木製の模擬外壁（４）の一方側に設置し、模擬外壁（４）の模擬構造躯体（３）が設置されている側とは反対側において、中性子水分計（５）を一定距離を保ちながら模擬外壁（４）の板面に沿って図１の矢印にて示すように水平方向または垂直方向に柱（１ａ）から（１ｃ）に向かって順に移動させて中性子水分計（５）よりも模擬外壁（４）側の水分量を測定した。このとき中性子水分計（５）は、神鋼メックス会社製のＮＭＡ２００１を用いた。また、模擬構造躯体（３）の中央の柱（１ｂ）を他の２本の柱（１ａ）、（１ｃ）に比べて高含水率になるように調整して配置した。
【００２１】
その水分量の検査結果を図３のグラフに示す。図３中、横軸は中性子水分計の検査実施位置を示しており、縦軸は検出された熱中性子のカウント数を示している。そのグラフに実際の柱（１ａ）、（１ｂ）、（１ｃ）と土台（２）が配置されている位置が重ねて示されている。同グラフより明らかなように、土台（２）と柱（１ａ）、（１ｂ）、（１ｃ）の結合部においては熱中性子のカウント数が高く出ていることからその部分は水分量が高いことが分かる。すなわちカウント数が高くなっている部分は柱や筋交いなどが存在する場所であると推測することができる。
【００２２】
さらに中央の柱（１ｂ）が位置する部分においては柱（１ａ）と（１ｃ）の位置する部分に比べて熱中性子のカウント数が高くなっており、柱（１ｂ）が柱（１ａ）、（１ｃ）に比べて含水率が高い状態になっていると推測することができる。
【００２３】
【発明の効果】
以上詳しく説明したとおり、この出願の発明によって、閉鎖空間内などの直接検査困難な位置にある構造躯体の位置や健全度を人が閉鎖空間内に入ることなく安全かつ正確に非破壊で検査する木造建築物検査方法が提供される。
【図面の簡単な説明】
【図１】この出願の発明の木造建築物検査方法の一実施形態を例示した要部斜視図である。
【図２】この出願の発明の木造建築物検査方法の一実施形態を示した要部断面図である。
【図３】この出願の発明の木造建築物検査方法において得られるカウント数と木材位置の関係を示したグラフである。
【符号の説明】
１ａ，１ｂ，１ｃ  柱
２  土台
３  模擬構造躯体
４  模擬外壁
５  中性子水分計
【図１】
2004317373.tif 000003
【図２】
2004317373.tif 000004
【図３】
2004317373.tif 000005